(57)【要約】  表示結像システム、表示結像方法及びヘッドアップディスプレイである。表示結像システムは、透過反射膜３を含む結像窓２と、透過反射膜３に入射するｓ偏光を放射するための画像ソース１と、を備える。透過反射膜３のｓ偏光に対する平均反射率が５０％よりも大きく、結像窓２は環境光の透過にも用いられる。このような表示結像システムは、画像ソースの輝度へのニーズを低下でき、ゴーストも解消でき、より好ましい視覚効果が得られると共に、コストを低減できる。
2019512754.tif 000002
【特許請求の範囲】
【請求項１】
透明基材と透明基材の第１の表面に付着した透過反射膜とを有する結像窓と、
透過反射膜を介して結像窓へ出射するｓ偏光を放射する画像ソースと、を備え、
前記画像ソースの発するｓ偏光は、可視光帯域内でｎ個のスペクトル線又はスペクトルバンドを有し、但し、ｎは１以上の正の整数であり、前記スペクトル線又はスペクトルバンドの半値幅は６０ｎｍ以下であり、
前記透過反射膜は、法線に対して第１の角度範囲で画像ソースの発したｓ偏光を反射可能であり、また、法線に対して第２の角度範囲で環境光を透過させることができ、前記第１の角度範囲は３０度〜８９度であり、前記第２の角度範囲は３０度〜８０度であり、
前記第１の角度範囲内において、前記透過反射膜の、前記画像ソースの発するｓ偏光のｎ個のスペクトル線又はスペクトルバンドにおける少なくとも１つのスペクトル線又はスペクトルバンドに対する半値幅以内の平均反射率は５０％よりも大きく、前記第１の角度範囲内において、前記透過反射膜の、前記画像ソースの発するｓ偏光のｎ個のスペクトル線又はスペクトルバンドの半値幅以外の可視光帯域に対する平均反射率は、前記透過反射膜の、前記画像ソースの発するｓ偏光のｎ個のスペクトル線又はスペクトルバンドの中で半値幅内の平均反射率が５０％よりも大きい帯域に対する平均反射率より少なくとも５％低く、
前記第２の角度範囲内において、前記透過反射膜のｐ偏光に対する可視光範囲内の平均透過率が６０％よりも大きいことを特徴とする表示結像システム。
【請求項２】
前記透明基材の第２の表面には増透膜が配置され、前記増透膜は結像窓の可視光に対する平均透過率を３％以上に向上させることを特徴とする請求項１に記載の表示結像システム。
【請求項３】
前記ｎ個のスペクトル線又はスペクトルバンドは、少なくとも３個のスペクトル線又はスペクトルバンドを含み、１番目のスペクトル線又はスペクトルバンドのピーク位置は、４１０ｎｍ〜４８０ｎｍ区間の範囲内であり、２番目のスペクトル線又はスペクトルバンドのピーク位置は、５００ｎｍ〜５６５ｎｍ区間の範囲内であり、３番目のスペクトル線又はスペクトルバンドのピーク位置は、５９０ｎｍ〜６９０ｎｍ区間の範囲内であることを特徴とする請求項１に記載の表示結像システム。
【請求項４】
前記第１の角度範囲は、５０度〜７５度であり、及び／又は前記第２の角度範囲は５５度〜７０度であることを特徴とする請求項１に記載の表示結像システム。
【請求項５】
前記第２の角度範囲内において、前記透過反射膜のｐ偏光に対する可視光範囲内の平均透過率は８０％よりも大きいことを特徴とする請求項１に記載の表示結像システム。
【請求項６】
前記透過反射膜の前記第１の角度範囲内における前記画像ソースの発するｓ偏光のｎ個のスペクトル線又はスペクトルバンド中の少なくとも１つのスペクトル線又はスペクトルバンドに対する半値幅以内の平均反射率は７０％よりも大きく、前記透過反射膜の前記第１の角度範囲内における前記画像ソースの発するｓ偏光のｎ個のスペクトル線又はスペクトルバンドの半値幅以外の可視光帯域に対する平均反射率は５０％よりも小さいことを特徴とする請求項１に記載の表示結像システム。
【請求項７】
前記透過反射膜は、屈折率の異なる少なくとも２種類のフィルム層を積層してなり、前記フィルム層の成分として、五酸化二タンタル、二酸化チタン、酸化マグネシウム、酸化亜鉛、酸化ジルコニウム、二酸化ケイ素、フッ化マグネシウム、窒化ケイ素、窒酸化ケイ素、フッ化アルミニウムから選んだ１種類又は多種類であることを特徴とする請求項１乃至６のいずれか一項に記載の表示結像システム。
【請求項８】
前記画像ソースは、虚像又は実像を放出する表示結像機器、又はこれらの表示結像機器で形成した虚像又は実像であることを特徴とする請求項１乃至６のいずれか一項に記載の表示結像システム。
【請求項９】
前記画像ソースの光源として、レーザー、発光ダイオード、有機発光ダイオード、励起蛍光発光材料、量子ドット励起光源の中の１種類又は多種類を含むことを特徴とする請求項１乃至６のいずれか一項に記載の表示結像システム。
【請求項１０】
第１の表面及び第２の表面を有する透明基材と、透明基材の第１の表面に付着した透過反射膜と、透明基材の第２の表面に付着した増透膜とを含む結像窓と、
透過反射膜を介して結像窓へ出射するｓ偏光を放射するための画像ソースと、を備え、
前記ｓ偏光は、可視光帯域内でｎ個のスペクトル線又はスペクトルバンドを有し、但し、ｎは１以上の正の整数であり、前記スペクトル線又はスペクトルバンドの半値幅は６０ｎｍ以下であり、
前記透過反射膜は、法線に対して第１の角度範囲で画像ソースの発したｓ偏光を反射可能であり、また、法線に対して第２の角度範囲で環境光を透過させることができ、前記第１の角度範囲は３０度〜８９度であり、前記第２の角度範囲は３０度〜８０度であり、
前記第１の角度範囲内において、前記透過反射膜の、前記画像ソースの発するｓ偏光のｎ個のスペクトル線又はスペクトルバンドにおける半値幅以内の帯域に対する平均反射率の範囲は２５％〜５０％であり、
前記透過反射膜の、前記ｓ偏光のｎ個のスペクトル線又はスペクトルバンドの半値幅以外の可視光帯域に対する平均反射率は、前記透過反射膜の、前記ｓ偏光のｎ個のスペクトル線又はスペクトルバンドの中で半値幅内の帯域に対する平均反射率より少なくとも５％低く、
前記第２の角度範囲内において、前記透過反射膜のｐ偏光に対する可視光範囲内の平均透過率が６０％よりも大きく、
前記増透膜は、結像窓の可視光に対する平均透過率を３％以上に向上させることを特徴とする表示結像システム。
【請求項１１】
前記ｎ個のスペクトル線又はスペクトルバンドは、少なくとも３個のスペクトル線又はスペクトルバンドを含み、１番目のスペクトル線又はスペクトルバンドのピーク位置は、４１０ｎｍ〜４８０ｎｍ区間の範囲内であり、２番目のスペクトル線又はスペクトルバンドのピーク位置は、５００ｎｍ〜５６５ｎｍ区間の範囲内であり、３番目のスペクトル線又はスペクトルバンドのピーク位置は、５９０ｎｍ〜６９０ｎｍ区間の範囲内であることを特徴とする請求項１０に記載の表示結像システム。
【請求項１２】
前記第１の角度範囲は５０度〜７５度であり、及び／又は前記第２の角度範囲は５５度〜７０度であることを特徴とする請求項１０に記載の表示結像システム。
【請求項１３】
前記第２の角度範囲内において、前記透過反射膜のｐ偏光に対する可視光範囲内の平均透過率は８０％よりも大きいことを特徴とする請求項１０に記載の表示結像システム。
【請求項１４】
前記透過反射膜は、屈折率の異なる少なくとも２種類のフィルム層を積層してなり、前記フィルム層の成分として、五酸化二タンタル、二酸化チタン、酸化マグネシウム、酸化亜鉛、酸化ジルコニウム、二酸化ケイ素、フッ化マグネシウム、窒化ケイ素、窒酸化ケイ素、フッ化アルミニウムから選んだ１種類又は多種類であることを特徴とする請求項１０乃至１３のいずれか一項に記載の表示結像システム。
【請求項１５】
前記画像ソースは、虚像又は実像を放出する表示結像機器、又はこれらの表示結像機器で形成した虚像又は実像であることを特徴とする請求項１０乃至１３のいずれか一項に記載の表示結像システム。
【請求項１６】
前記画像ソースの光源として、レーザー、発光ダイオード、有機発光ダイオード、励起蛍光発光材料、量子ドット励起光源の中の１種類又は多種類を含むことを特徴とする請求項１０乃至１３のいずれか一項に記載の表示結像システム。
【請求項１７】
請求項１乃至１６のいずれか一項に記載の表示結像システムを備える交通ツール。
【発明の詳細な説明】
【技術分野】
【０００１】
本発明の実施形態は、電気光学技術の分野に関し、より具体的に、表示結像システムと対応する結像方法、並びに当該表示結像システムを備える交通ツールに関する。
【背景技術】
【０００２】
透明表示結像システムは、画像ソースと結像窓から構成されることが一般である。従来の透明表示結像システムには、多種類の画像ソースと結像窓の選択肢がある。一般に、結像窓は基材と反射面とからなり、ほとんどの結像窓の構造において反射面は中間層として基材中に現れる。
【０００３】
従来技術には、ｐ偏光を発するソースを画像ソースとして用いる技術案がある。例えば、特許文献１〜６にはいずれもｐ偏光による結像態様が記載されている。
しかし、これらのｐ偏光による結像態様は、一般に次のような欠陥がある。即ち、比較的に高い反射率が要求されると、透過率が低くなるため、周囲環境に対する観察効果を低下させ、画像ソースの輝度に対するニーズが比較的に高くなった。
【０００４】
例えば、これらの方法はヘッドアップディスプレイに適用されると、前窓に薄暗い暗斑を形成する。比較的に高い透過率が要求されると、反射率が低くなり、よい結像効果に達するためには、画像ソースの輝度のニーズが比較的に高いため、画像ソースのパワー放熱等のコストを増加させる。
【０００５】
従来技術では、ｓ偏光を発するソースを画像ソースとして用いる技術が既に提案されている。例えば、特許文献７及び８ではいずれもｓ偏光を用いる結像態様を言及した。しかし、これらのｓ偏光を用いる結像態様は、次のような欠陥がある。
１、ゴーストが発生しやすい。
２、比較的に高い反射率が要求されると、透過率が低くなるため、周囲環境に対する観察効果を低下させる。
【先行技術文献】
【特許文献】
【０００６】
【特許文献１】中国実用新案公告第ＣＮ２０４１４３０６７Ｕ号明細書
【特許文献２】中国特許出願公開第ＣＮ１０４２６７４９８Ａ号明細書
【特許文献３】米国特許第ＵＳ６９５２３１２Ｂ２号明細書
【特許文献４】米国特許第ＵＳ７１２３４１８Ｂ２号明細書
【特許文献５】米国特許第ＵＳ７３５５７９６Ｂ２号明細書
【特許文献６】欧州特許出願公開第ＥＰ０８３６１０８Ａ２号明細書
【特許文献７】米国特許第ＵＳ２００５０１２６８２号明細書
【特許文献８】特開平０２−１４１７２０Ａ号公報
【特許文献９】中国実用新案第ＣＮ２６９４２９３Ｙ号明細書
【発明の概要】
【発明が解決しようとする課題】
【０００７】
特許文献９には、ヘッドアップディスプレイに適用される、誘電体層の複層フィルムの干渉原理を利用したフルカラーマルチバンド画像スタックが開示されている。当該技術は、特定波長の光線の通過率が高くないとの短所がある。例えば、赤色光、緑色光、青色光等の波長に対する通過率が低いと、交差点信号機（赤信号、緑信号、黄信号）の発する光線を大幅に削減し、そうすると、非常に大きな安全の危険性が存在する。また、当該技術の結像角度に制限があって、結像効果がよくない。さらに、当該技術では約７０層に達するフィルムをメッキする必要があるため、製造プロセスが煩雑過ぎる。
【０００８】
本発明の技術案は、上記の課題を解決するために、画像ソースの輝度に対する要求を低くし、エネルギー損失を節約し、結像が明らかで、ゴーストがなく、且つ、環境光の通過がよく、周囲環境に対する観察効果を低下させない表示結像システム、表示結像方法、及び当該表示結像システムを備える交通ツールを提供する。
【課題を解決するための手段】
【０００９】
本発明の主な側面によると、
透明基材と透明基材の第１の表面に付着した透過反射膜とを有する結像窓と、
結像窓の透過反射膜へ偏光を発する画像ソースと、を備え、偏光は、ｓ偏光とｐ偏光とを含み、ｓ偏光のエネルギーがｐ偏光のエネルギーよりも大きく、画像ソースの発するｓ偏光は、可視光帯域内でｎ個のスペクトル線又はスペクトルバンドを有し、但し、ｎは１以上の正の整数であり、スペクトル線又はスペクトルバンドの半値幅は６０ｎｍ以下であり、
透過反射膜は、法線に対して第１の角度範囲で画像ソースの発したｓ偏光を反射可能であり、また、法線に対して第２の角度範囲で環境光を透過させることができ、第１の角度範囲は３０度〜８９度であり、第２の角度範囲は３０度〜８０度であり、
第１の角度範囲内において、透過反射膜の、画像ソースの発するｓ偏光のｎ個のスペクトル線又はスペクトルバンドにおける少なくとも１つのスペクトル線又はスペクトルバンドに対する半値幅以内の平均反射率が５０％より大きく、第１の角度範囲内における透過反射膜の、画像ソースの発するｓ偏光のｎ個のスペクトル線又はスペクトルバンドの半値幅以外の可視光帯域に対する平均反射率は、透過反射膜の、画像ソースの発するｓ偏光のｎ個のスペクトル線又はスペクトルバンドの中で半値幅内の平均反射率が５０％よりも大きい帯域に対する平均反射率より少なくとも５％低く、
第２の角度範囲内において、透過反射膜のｐ偏光に対する可視光範囲内の平均透過率が６０％よりも大きい表示結像システムを提供する。
【００１０】
好ましくは、基材は、第１の表面と第２の表面とを有し、透過反射膜は第１の表面に配置され、光源から出射した光は、まず透過反射膜を通過し、その後に基材に到達する。
好ましくは、第２の表面には増透膜が配置され、前記増透膜は結像窓の可視光に対する平均透過率を３％以上に向上させる。
【００１１】
好ましくは、ｎ個のスペクトル線又はスペクトルバンドは、少なくとも３個のスペクトル線又はスペクトルバンドを含み、１番目のスペクトル線又はスペクトルバンドのピーク位置は４１０ｎｍ〜４８０ｎｍ区間の範囲内であり、２番目のスペクトル線又はスペクトルバンドのピーク位置は、５００ｎｍ〜５６５ｎｍ区間の範囲内であり、３番目のスペクトル線又はスペクトルバンドのピーク位置は、５９０ｎｍ〜６９０ｎｍ区間の範囲内である。
【００１２】
好ましくは、第１の角度範囲は、５０度〜７５度である。
【００１３】
好ましくは、第２の角度範囲は、５５度〜７０度である。
【００１４】
好ましくは、第２の角度範囲内において、透過反射膜のｐ偏光に対する可視光範囲の平均透過率は８０％よりも大きい。
【００１５】
好ましくは、透過反射膜の第１の角度範囲内における画像ソースの発するｓ偏光のｎ個のスペクトル線又はスペクトルバンド中の少なくとも１つのスペクトル線又はスペクトルバンドに対する半値幅以内の平均反射率は７０％よりも大きく、前記透過反射膜の前記第１の角度範囲内における前記画像ソースの発するｓ偏光のｎ個のスペクトル線又はスペクトルバンドの半値幅以外の可視光帯域に対する平均反射率は５０％よりも小さい。
好ましくは、画像ソースの位置する平面と結像窓との間には狭角があり、狭角の範囲は２０度〜７０度である。
【００１６】
好ましくは、画像ソースの位置する平面と結像窓との間には狭角があり、狭角の範囲は８０度〜９０度である。
【００１７】
好ましくは、画像ソースは、虚像又は実像を放出する表示結像機器、又はこれらの表示結像機器で形成した虚像又は実像である。
【００１８】
好ましくは、画像ソースの光源として、レーザー、発光ダイオード、有機発光ダイオード、励起蛍光発光材料、量子ドット励起光源の中の１種類又は多種類を含む。
本発明の他の主な側面によると、
第１の表面及び第２の表面を有する透明基材と、透明基材の第１の表面に付着した透過反射膜と、透明基材の第２の表面に付着した増透膜とを含む結像窓と、
結像窓の透過反射膜へ偏光を発するための画像ソースと、を備え、偏光は、ｓ偏光とｐ偏光とを含み、ｓ偏光のエネルギーがｐ偏光のエネルギーよりも大きく、ｓ偏光は、可視光帯域内でｎ個のスペクトル線又はスペクトルバンドを有し、但し、ｎは１以上の正の整数であり、スペクトル線又はスペクトルバンドの半値幅は６０ｎｍ以下であり、
透過反射膜は、法線に対して第１の角度範囲で画像ソースの発したｓ偏光を反射可能であり、また、法線に対して第２の角度範囲で環境光を透過させることができ、第１の角度範囲は３０度〜８９度であり、第２の角度範囲は３０度〜８０度であり、
第１の角度範囲内において、透過反射膜の、画像ソースの発するｓ偏光のｎ個のスペクトル線又はスペクトルバンドにおける半値幅以内の帯域に対する平均反射率の範囲は２５％〜５０％であり、
透過反射膜の、ｓ偏光のｎ個のスペクトル線又はスペクトルバンドの半値幅以外の可視光帯域に対する平均反射率は、透過反射膜のｓ偏光のｎ個のスペクトル線又はスペクトルバンドの中で半値幅内の帯域に対する平均反射率よりも少なくとも５％低く、
第２の角度範囲内において、透過反射膜のｐ偏光に対する可視光範囲内の平均透過率が６０％よりも大きい表示結像システムを提供する。
本発明のさらに他の主な方面によると、
透過反射膜を含む結像窓と、
透過反射膜を介して結像窓に入射するｓ偏光を発するための画像ソースと、を備え、
透過反射膜のｓ偏光に対する可視光範囲内の平均反射率が５０％よりも大きく、結像窓は環境光を透過させるためにも用いられ、
透過反射膜のｐ偏光に対する可視光範囲内の平均透過率が８０％よりも大きい表示結像システムを提供する。
【００１９】
本発明のまたさらに他の主な側面によると、
第１の表面及び第２の表面を有する透明基材と、透明基材の第１の表面に付着した透過反射膜と、透明基材の第２の表面に付着した増透膜とを含む結像窓と、
透過反射膜を介して結像窓に入射するｓ偏光を発するための画像ソースと、を備え、
透過反射膜のｓ偏光に対する平均反射率が５０％よりも大きく、結像窓は環境光を透過させるためにも用いられ、
前記増透膜は、結像窓の可視光に対する平均透過率を３％以上に向上させる表示結像システムを提供する。
【００２０】
本発明の１つの主な側面によると、前述したような表示結像システムを備えるヘッドアップディスプレイを提供する。
【００２１】
本発明の他の主な側面によると、前述したような表示結像システムを備える交通ツールを提供する。
【００２２】
本発明の１つの主な側面によると、
（１）透明基材と透明基材に付着した透過反射膜とを含む結像窓を提供するステップと、
（２）ｓ偏光を放射可能な画像ソースを提供するステップと、
（３）透過反射膜を介して結像窓に出射されるように、画像ソースに法線に対して第１の角度範囲で結像窓へｓ偏光を放射させるステップと、
（４）透過反射膜によりｓ偏光を反射するステップと、を含み、
ｓ偏光は、可視光帯域内でｎ個のスペクトル線又はスペクトルバンドを有し、但し、ｎは１以上の正の整数であり、スペクトル線又はスペクトルバンドの半値幅は６０ｎｍ以下であり、
第１の角度範囲内において、透過反射膜の、画像ソースの発するｓ偏光のｎ個のスペクトル線又はスペクトルバンドにおける少なくとも１つのスペクトル線又はスペクトルバンドに対する半値幅以内の平均反射率は５０％よりも大きく、透過反射膜の、画像ソースの発するｓ偏光のｎ個のスペクトル線又はスペクトルバンドの半値幅以外の可視光帯域に対する平均反射率は、透過反射膜の、画像ソースの発するｓ偏光のｎ個のスペクトル線又はスペクトルバンドの中で半値幅内の平均反射率が５０％よりも大きい帯域に対する平均反射率よりも少なくとも５％低く、且つ、
法線に対する第２の角度範囲内において、透過反射膜のｐ偏光に対する可視光範囲内の平均透過率が６０％よりも大きく、
但し、第１の角度範囲は３０度〜８９度であり、第２の角度範囲は３０度〜８０度である表示結像方法を提供する。
【００２３】
本発明の他の主な側面によると、
（１）透明基材と透明基材の両側にそれぞれ付着した透過反射膜及び増透膜とを含む結像窓を提供するステップと、
（２）ｓ偏光を放射可能な画像ソースを提供するステップと、
（３）透過反射膜射を介して結像窓に出射されるように、画像ソースに法線に対して第１の角度範囲で結像窓へｓ偏光を放射させるステップと、
（４）透過反射膜によりｓ偏光を反射するステップと、を含み、
ｓ偏光は、可視光帯域内でｎ個のスペクトル線又はスペクトルバンドを有し、ｎは３以上の正の整数であり、スペクトル線又はスペクトルバンドの半値幅は６０ｎｍ以下であり、
第１の角度範囲内において、透過反射膜の、画像ソースの発するｓ偏光のｎ個のスペクトル線又はスペクトルバンドにおける半値幅以内の帯域に対する平均反射率の範囲が２５％〜５０％であり、
透過反射膜の、ｓ偏光のｎ個のスペクトル線又はスペクトルバンドの半値幅以外の可視光帯域に対する平均反射率は、透過反射膜の、ｓ偏光のｎ個のスペクトル線又はスペクトルバンド中で半値幅内の帯域に対する平均反射率よりも少なくとも５％低く、且つ、
法線に対する第２の角度範囲内において、透過反射膜のｐ偏光に対する可視光範囲内の平均透過率が６０％よりも大きい表示結像方法を提供する。
但し、第１の角度範囲は３０度〜８９度であり、第２の角度範囲は３０度〜８０度である。
【００２４】
本発明のまた主な側面によると、
（１）透明基材と透明基材に付着した透過反射膜とを含む結像窓を提供するステップと、
（２）ｓ偏光を放射可能な画像ソースを提供するステップと、
（３）透過反射膜を介して結像窓へ出射されるように、画像ソースにｓ偏光を放射させるステップと、
（４）透過反射膜によりｓ偏光を反射するステップと、を含み、透過反射膜のｓ偏光に対する平均反射率は５０％よりも大きく、且つ、透過反射膜のｐ偏光に対する平均透過率が８０％よりも大きい表示結像方法を提供する。
【００２５】
さらに、本発明の他の主な側面によると、
（１）透明基材と透明基材の両側にそれぞれ付着した透過反射膜及び増透膜とを含む結像窓を提供するステップと、
（２）ｓ偏光を放射可能な画像ソースを提供するステップと、
（３）透過反射膜を介して結像窓へ出射されるように、画像ソースにｓ偏光を放射させるステップと、
（４）透過反射膜によりｓ偏光を反射するステップと、
（５）増透膜により環境光を透過させるステップと、を含み、
透過反射膜のｓ偏光に対する平均反射率は５０％よりも大きく、且つ、前記増透膜は結像窓の可視光に対する平均透過率を３％以上に向上させる表示結像方法を提供する。
【発明の効果】
【００２６】
上記技術案からよく理解できるように、本発明の実施形態では、ｐ偏光を発するソースを画像ソースとして採用せず、革新的に１つ又は複数のスペクトル線又はスペクトルバンドを含むｓ偏光を放射するものを画像ソースとして採用すると共に、スペクトル線又はスペクトルバンドを含むｓ偏光の画像ソースと対応する逆特徴を有する結像窓を採用して、ｓ偏光結像システムの欠陥を解消し、ユーザーの画像ソースの表示結像の観覧と同時に外部環境の観覧をするのに極めて有利であるばかりでなく、画像ソースの輝度に対するニーズを低下させることができる。
【００２７】
さらに、本発明は、基材の内面の透過反射膜で比較的に高い反射率が得られ、基材の外面に増透膜も有するため、ゴーストをよく抑えることができる。
また、本発明は、環境光のｓ偏光のスペクトルに一部のフィルタリングされる帯域が存在しても、ｐ偏光の環境光から同じ光学情報を取得することができる。また、本発明は観察者の外部の環境光の感知にほとんど影響を与えない。そして、透過反射膜と増透膜が、例えば、メッキ技術により基材上に付着されるため、本発明のコストは比較的に安価である。
【図面の簡単な説明】
【００２８】
本発明の実施例や従来技術における技術案をより明らかに説明するために、以下に実施例や従来技術の記述で使用する必要がある図面を簡単に紹介する。なお、以下の記述における図面が本発明の一部の実施例のみを述べていることは自明なことである。本発明にとって、これらの図面は限定的なものではなく、例示的な役割を果たす。
【図１】本発明の一実施形態による表示結像システムの例示的な構造図である。
【図２】本発明の一実施形態による３種類のスペクトル線又はスペクトルバンドの積み重ねの例示的な模式図である。
【図３】本発明の一実施形態による結像窓の例示的な構造図である。
【図４】本発明の一実施形態による表示結像方法の例示的なフローチャートである。
【発明を実施するための形態】
【００２９】
以下、本発明の目的、技術手段及び長所をより明らかにするために、本発明について図面を参照しながらさらに詳しく説明する。
【００３０】
説明の簡略化及び明瞭化のため、次にいくつかの代表的な実施形態により本発明の態様について説明する。実施形態において多くの詳細は、単に本発明の態様の理解に役立つようにするためのものに過ぎず、本発明の技術案を実現する場合、これらの詳細に限定されないことは言うまでもない。不必要に本発明の態様を曖昧することを避けるため、一部の実施形態では詳細に説明せず、フレームワークのみを提供している。後述において、「含む」とは、「含んでいるがこれに限定されない」ことを意味し、「……に応じて（基づいて）」とは、「少なくとも……に応じる（基づく）が、……だけ（のみ）に応じる（基づく）ことに限定されない」ことを意味する。「第１」、「第２」等は、単に特徴を指すために用いられ、当該特徴に何ら限定、例えば、順番上の限定を加えようと意図しない。中国語の言語習慣のため、以下で成分の数を特に記述しない限り、当該成分は１つでもあってもよく、複数であってもよく、或いは、少なくとも１つであると理解すべきである。
【００３１】
図１は、本発明の一実施形態による表示結像システムの例示的な構造図である。
【００３２】
図１に示すように、当該システムは、画像ソース１と、結像窓２とを備える。結像窓２は、透明な基材と基材の一方側に付着した透過反射膜３とを含み、画像ソース１はｓ偏光を放射することができ、ｓ偏光は、可視光帯域内においてｎ個のスペクトル線又はスペクトルバンドを有し、ｎは１以上の正の整数であり、スペクトル線又はスペクトルバンドの半値幅は６０ｎｍ以下であり、透過反射膜３を介して結像窓２に入射する。その中で、透過反射膜３の、画像ソースの発するｓ偏光のｎ個のスペクトル線又はスペクトルバンドにおける少なくとも１つのスペクトル線又はスペクトルバンドに対する半値幅以内の平均反射率が５０％よりも大きく、結像窓２は環境光を透過させることもできる。図１に示す実施形態において、結像窓２は増透膜４（勿論、他の実施形態では、増透膜を使用しなくてもよい）をさらに含み、当該増透膜４は、基材の他方側に付着する。増透膜４は、結像窓２の環境光に対する透過率を増加することができる。
【００３３】
画像ソース１は、表示結像機器であってもよく、これらの表示結像機器で形成した虚像又は実像であってもよい。
【００３４】
例えば、表示結像機器は、液晶スクリーンであり、液晶スクリーンのバックライト光源は、レーザー、発光ダイオード、有機発光ダイオード、励起蛍光発光材料、量子ドット励起光源中の１種類又は多種類を含んでもよい。表示結像機器は、ＬＥＤ、ＯＬＥＤ、プラズマ発光ドット等の発光どっと光源からなるアクティブ発光するドットマトリックススクリーンであってもよい。また、表示結像機器は、例えばＤＬＰ、ＬＣＯＳ、ＬＣＤ等の投影技術に基づいて、ＬＥＤ、ＯＬＥＤ、レーザー、蛍光等の光源又はその組合わせにより駆動され、ＤＭＤ、ＬＣＯＳ、ＬＣＤ等の表示パネルで反射又は透過し、さらに投影レンズにより投影スクリーンへ投射して結像する投影結像システムであってもよい。さらに、表示結像機器は、レーザー光線をスクリーンに走査させて結像する投影結像システムであってもよい。
【００３５】
前述した全ての表示結像機器では、１回又は複数回に亘って屈折又は反射してなる実像又は虚像も画像ソースとすることができる。
【００３６】
結像窓２の基材は、透明媒体以外に、ＰＣ樹脂、ＰＥＴ樹脂、ＰＭＭＡ樹脂、玻璃、石英等のようなものを選択してもよく、特別な処理によって透明で変色可能な特性を持つようにしてもよい。例えば、基材は、明るい照明の環境で、環境光の強さを低減するように変色できる。
【００３７】
透過反射膜３は、基材の内面全体を覆うように配置されてもよく、基材の内面の一部を覆ってもよい。透過反射膜３は、１層のみの膜に限らず、多層の屈折率の異なるフィルム層を積層してなってもよい。その中で、フィルム層の成分として、酸化物、フッ化物、窒化物等の化合物、例えば、五酸化二タンタル、二酸化チタン、酸化マグネシウム、酸化亜鉛、酸化ジルコニウム、二酸化ケイ素、フッ化マグネシウム、窒化ケイ素、窒酸化ケイ素、フッ化アルミニウム等から選んだ１種類又は多種類である。
【００３８】
透過反射膜３の可視光範囲内でｓ偏光に対する平均反射率が高いほど、透過反射膜３の観察者へ反射する可視光の強度が大きくなる。テストした結果、透過反射膜３の、前記画像ソースの発するｓ偏光のｎ個のスペクトル線又はスペクトルバンドにおける少なくとも１つのスペクトル線又はスペクトルバンドに対する半値幅以内の平均反射率が、特定の反射率、例えば５０％、好ましくは、６０％、７０％、８０％又は９０％よりも大きく、より好ましくは、９５％以上にも達することができ、画像ソースの発するｓ偏光のｎ個のスペクトル線又はスペクトルバンドの半値幅以外の可視光帯域に対する平均反射率が、透過反射膜の、画像ソースの発するｓ偏光のｎ個のスペクトル線又はスペクトルバンドで半値幅内の平均反射率が当該特定反射率よりも大きい帯域に対する平均反射率よりも少なくとも５％、好ましくは、１０％、１５％、ひいては２０％低いことが見つけられる。また、透過反射膜３の可視光範囲内でｐ偏光に対する平均透過率が、６０％よりも大きく、好ましくは、７０％、８０％又は９０％よりも大きく、より好ましくは、９５％以上にも達することができる。
【００３９】
勿論、ある実施形態において、透過反射膜３の、画像ソース１の放射するｓ偏光のｎ個のスペクトル線又はスペクトルバンドにおける半値幅以内の帯域に対する平均反射率の範囲は、５０％よりも大きくなく、２５％〜５０％の間である。この場合に、増透膜４（増透膜４について、後に詳しく説明する）を利用すべきである。
【００４０】
一実施形態において、画像ソースの透過反射膜３へ入射させるｓ偏光は、可視光帯域内で３個のスペクトル線又はスペクトルバンドを有し、透過反射膜３の、３個のスペクトル線又はスペクトルバンドにおける半値幅以内の帯域に対する平均反射率がいずれも５０％より大きい。そして、透過反射膜３の、画像ソース１の発するｓ偏光の３個のスペクトル線又はスペクトルバンドの半値幅以外の可視光帯域に対する平均反射率は、当該透過反射膜の、前記画像ソースの発するｓ偏光の３個のスペクトル線又はスペクトルバンドで半値幅内の平均反射率が５０％よりも大きい帯域に対する平均反射率よりも少なくとも５％、ひいては１０％低い。また、透過反射膜のｐ偏光に対する可視光範囲内の平均透過率は６０％よりも大きい。
【００４１】
他の実施形態において、画像ソースの透過反射膜３へ入射させるｓ偏光も、可視光帯域内で３個のスペクトル線又はスペクトルバンドを有するが、透過反射膜３は、これら３個のスペクトル線又はスペクトルバンドの中の１つ又は２つのみに対する半値幅以内の平均反射率がいずれも５０％より大きい。そして、透過反射膜３の、画像ソース１の放射するｓ偏光の３個のスペクトル線又はスペクトルバンドの半値幅以外の可視光帯域に対する平均反射率は、当該透過反射膜の、前記画像ソースの発するｓ偏光の３個のスペクトル線又はスペクトルバンドで半値幅内の平均反射率が５０％よりも大きい帯域に対する平均反射率よりも少なくとも５％、ひいては１０％低い。
【００４２】
また、別の実施形態において、画像ソースの透過反射膜３へ入射させるｓ偏光の、可視光帯域内に有するスペクトル線又はスペクトルバンドの数は、任意な１以上の正の整数個（ｎで表す）であってもよい。透過反射膜３の、これらｎ個のスペクトル線又はスペクトルバンドにおける少なくとも１つに対する半値幅以内の平均反射率が、いずれも５０％より大きい。そして、透過反射膜３の、画像ソース１の放射するｓ偏光のｎ個のスペクトル線又はスペクトルバンドの半値幅以外の可視光帯域に対する平均反射率は、当該透過反射膜の、前記画像ソースの発するｓ偏光の３個のスペクトル線又はスペクトルバンドで半値幅内の平均反射率が５０％よりも大きい帯域に対する平均反射率よりも少なくとも５％、ひいては１０％低い。
【００４３】
透過反射膜３と同じように、増透膜４は、基材の外面の全体を覆ってもよく、基材の外面の一部だけ覆ってもよい。増透膜は、結像窓の可視光に対する平均透過率を３％以上に向上させる。
【００４４】
図１に示すように、ｓ偏光の透過反射膜３に入射する入射角度をαとすると、αの範囲は３０〜８９度である。より良好な反射や透過効果を達するために、αの数値は、角度ｔａｎ−１（ｎ２／ｎ１）に近接したほうが好ましく、但し、ｎ１は入射媒体の屈折率であり、ｎ２は基材媒体の屈折率である。例えば、ｎ１＝１．０、ｎ２＝１．５２である時、ｔａｎ−１（ｎ２／ｎ１）は約５６度４０分であり、ｎ１＝１．０、ｎ２＝１．５８である時、ｔａｎ−１（ｎ２／ｎ１）は約５７度４０分であり、ｎ１＝１．０、ｎ２＝１．４９である時、ｔａｎ−１（ｎ２／ｎ１）は約５６度０８分である。従って、αの範囲は５０〜７５度であることが好ましい。
【００４５】
以上では例示的にαの採用範囲と好ましい角度について説明したが、当業者であれば、基材媒体の屈折率や入射媒体の屈折率に基づいて、αの角度が他の範囲の値を採用できることを理解できるであろう。
【００４６】
また、図１に示すように、画像ソース１と結像窓２との間に狭角θを有し、前記狭角θの範囲は２０度〜７０度である。勿論、狭角θは他の範囲の値を採用しても構わない。例えば、いくつかの実施形態において、狭角θの範囲は８０度〜９０度である。
画像ソース１の光のスペクトルは、単色又は複数の単色のスペクトル線又はスペクトルバンドの分布を積み重ねてなってもよい。例えば、図２における画像ソースの光のスペクトルの例示的な模式図を参照すると、全体光のスペクトルソースと同じ視覚効果に達するために、画像ソース１の放射するｓ偏光は、スペクトルピークが５９０ｎｍ〜６９０ｎｍ（赤色）、５００ｎｍ〜５６５ｎｍ（緑色）、４１０ｎｍ〜４８０ｎｍ（青色）という３個の範囲にあるスペクトル線又はスペクトルバンドの分布を積み重ねてなってもよい。透過反射膜３の、これら３種類のスペクトル線又はスペクトルバンドの半値幅におけるｓ偏光に対する平均反射率は、６０％よりも大きい。好ましくは、透過反射膜の、ｓ偏光のこれら３種類のスペクトル線又はスペクトルバンドの半値幅以外の帯域のｓ偏光に対する平均透過率は、６０％よりも大きい。
【００４７】
さらに、１つの好ましい実施形態において、画像ソースの光源は、３色レーザーから構成され、３色のスペクトルピークの位置のそれぞれは、４４５ｎｍ（青色）、５３２ｎｍ（緑色）、６３５ｎｍ（赤色）であり、各スペクトルピークの半値幅は、ただ約１〜２ｎｍ（図２における実線で描いたレーザー投影光のスペクトルを参照）だけである。当該光源に対して、特定の角度範囲内で、例えば第１の角度が５５度〜６５度である場合、特定の対応する透過反射膜を採用し、当該透過反射膜は、４４４ｎｍ〜４４６ｎｍ、５３１ｎｍ〜５３３ｎｍ、６３４ｎｍ〜６３６ｎｍという３個のスペクトルバンドのｓ偏光に対して９５％の反射率を有し、これら３個のスペクトルバンド以外のｓ偏光に対しては９５％の透過率を有し、ｐ偏光に対しても可視光の範囲で９５％の透過率を有する。計算すると分かるように、このような好ましい実施形態では、画像ソースに対して９５％の反射率、環境可視光に対して９４％以上の透過率が得られる。
【００４８】
以上では、例示的に赤色、緑色及び青色を例として、ｓ偏光の特定帯域を説明したが、当業者であれば、このような記述は例示的なものに過ぎず、本発明の範囲を限定するためのものではないことを理解できるであろう。
【００４９】
さらに図１を参照すると、画像ソース１の放射するｓ偏光は、結像窓２の透過反射膜３に入射される。透過反射膜３のｓ偏光のｎ個のスペクトル線又はスペクトルバンドにおける少なくとも１つに対する半値幅以内の平均反射率は、例えば６０％よりも大きくなっている。これにより、画像ソース１の像は、結像窓２により再度に結像される。さらに、結像窓２の外側の環境光は、比較的に高い透過率（例えば：７０％以上）で結像窓を通り抜け、観察者の目に入射されて、明らかで自然的な影像を形成することもできる。従って、観察者は、画像ソース１及び環境光の表示結像を同時に観覧することができる。
【００５０】
図３は、本発明の実施形態による結像窓の例示的な構造図である。図３を参照すると、結像窓２は、基材を含み、基材は、内面と外面とを有し、透過反射膜３は、基材の内面に配置され、外面にはさらに増透膜４が配置される。
【００５１】
また、１つの好ましい実施形態において、画像ソース１は、赤緑青の三原色のｓ偏光を採用することができる。例えば、三原色は、６３０ｎｍ  ±１０ｎｍ（赤色）、５４０ｎｍ±１０ｎｍ（緑色）、４５０ｎｍ±１０ｎｍ（青色）という３個の帯域のそれぞれにある。
【００５２】
本発明の一実施形態において、基材の内面にメッキされた透過反射膜は、次のような光学特性を有する。
（１）ｐ偏光について、全帯域に対して９５％以上の透過率を有することができる。
（２）ｓの偏光について、画像ソースと対応する特定の１つ又は複数の光帯域に対して、７０％以上の平均反射率を有する。例えば、６３０ｎｍ  ±１０ｎｍ（赤色）、５４０ｎｍ±１０ｎｍ（緑色）、４５０ｎｍ±１０ｎｍ（青色）という３個の帯域で、７０％以上の平均反射率を有し、その余りの帯域に対して７０％以上の平均透過率を有する。
まず、増透膜のない場合のゴースト問題を分析する。内面の透過反射膜が、特定の１つ又は複数のスペクトル線又はスペクトルバンドのｓ偏光に対して７０％の平均反射率を有し、その余りの帯域に対して７０％以上の平均透過率を有し、さらに外面が自然光に対して９０％の透過率を有すると想定する。すると、該１つ又は複数の光帯域のｓ偏光は透過反射膜に入射され、透過反射膜により反射した後、ｓ偏光の１回反射光の強度が入射光の強度の約７０％になると共に、屈折して基材内に入ったｓ偏光の強度は入射光の強度の約３０％となる。屈折して基材内に入ったｓ偏光は、増透膜で２回反射が生じ、２回反射後の光強度は３０％＊（１−９０％）であり、２回反射光は透過反射膜に入射し、折出して出た後の屈折光の強度は３０％＊（１−９０％）＊（１−７０％）＝０．９％である。
これにて分かるように、屈折光の強度は、１回反射光の強度に比べてほとんど無視することができる。従って、本発明では著しいゴーストが形成されず、現在の従来技術でｓ偏光を採用すると一般的にゴースト難題に直面してしまうことを克服する。
【００５３】
基材の外面にメッキした増透膜は、結像窓の外面の自然光全体に対する光のスペクトルを、通常の日照条件の下で９５％以上の平均透過率に達させる。
【００５４】
上記した実施形態における透過反射膜及び増透膜を合わせてゴースト問題を分析する。内面の透過反射膜の特定の１つ又は複数のスペクトル線又はスペクトルバンドのｓ偏光に対して７０％の平均反射率を有し、その余りの帯域に対して７０％以上の平均透過率を有し、さらに、外面は増透膜により自然光に対して９５％の透過率を有すると想定する。すると、当該１つ又は複数の光帯域のｓ偏光が透過反射膜に入射し、透過反射膜により反射された後、ｓ偏光の１回反射光の強度は入射光の強度の約７０％となると共に、屈折して基材内へ入ったｓ偏光の強度は入射光の強度の約３０％となる。屈折して基材内へ入ったｓ偏光は、増透膜で２回反射が生じ、２回反射後の光強度は３０％＊（１−９５％）であり、２回反射光は透過反射膜に入射され、折出して出た後の屈折光の強度は３０％＊（１−９５％）＊（１−７０％）＝０．４５％である。
【００５５】
これにて分かるように、このように基材の内面に透過反射膜を、外面に増透膜を配置する具体的構造により、本発明の結像窓は結像のゴースト問題をさらに著しく低下させる。
次に、上記した透過反射膜の光学特性に従って当該実施形態の総合透過率と反射率を分析する。
（１）反射率：画像ソースがｓ偏光を採用し、且つ、メッキ層の反射特性が画像ソースと高い対応性を有するため、メッキ層の反射特性から平均反射率Ｒ＞７０％であることが分かる。
（２）透過率：一般的に、外部の自然光に５０％のｐ偏光及び５０％のｓ偏光が含まれると想定すると、ｐ偏光について、その平均透過率が９０％以上であり、ｓ偏光について、可視光帯域（約４００ｎｍ〜７００ｎｍ）での平均透過率が｛（２０＋２０＋２０）＊０．３＋［７００−４００−（２０＋２０＋２０）］＊０．７｝／（７００−４００）≒６２％である。そのため、自然光全体に対する平均透過率はＴ≒９５％＊５０％＋６２％＊５０％＝７８．５％である。
【００５６】
以上より、特性の画像ソース及び画像ソースのソース特性に整合した反射特性を有するメッキ層を採用するため、本発明の可視光に対する平均透過率と画像ソースの特定光源に対する平均反射率との和をＴ＋Ｒ＞１４８．５％となるようにして、高通透率と共に高反射率による結像効果が得られる。
【００５７】
また、光源の光のスペクトル及び反射膜の反射特徴スペクトルの半値幅が狭いほど、反射率が保証できる場合に取得する透過率が高くなる。
【００５８】
また、１つのより好ましい実施形態において、図２に示すような１組の画像ソースの光源は、３色レーザーから構成され、３色のスペクトルピークの位置のそれぞれは、４４５ｎｍ（青色）、５３２ｎｍ（緑色）、６３５ｎｍ（赤色）であり、各スペクトルピークの半値幅は、ただ約１〜２ｎｍ（図２における実線で描いたレーザー投影光のスペクトルを参照）だけである。当該光源に対して、特定の角度範囲内で、例えば第１の角度が５５度〜６５度である場合、特定の対応する透過反射膜を採用し、当該透過反射膜は、４４４ｎｍ〜４４６ｎｍ、５３１ｎｍ〜５３３ｎｍ、６３４ｎｍ〜６３６ｎｍという３個のスペクトルバンドのｓ偏光に対して９５％の反射率を有し、これら３個のスペクトルバンド以外のｓ偏光に対しては９５％の透過率を有し、ｐ偏光に対しても可視光範囲で９５％の透過率を有する。
【００５９】
当該実施手段の総合透過率と反射率を分析すると、
（１）反射率：画像ソースがｓ偏光を採用し、且つ、メッキ層の反射特性が画像ソースと高い対応性を有するため、メッキ層の反射特性から平均反射率Ｒ＞９５％であることが分かり、
（２）透過率：一般的に、外部の自然光に５０％のｐ偏光及び５０％のｓ偏光が含まれると想定すると、ｐ偏光について、その平均透過率が９０％以上であり、ｓ偏光について、可視光帯域（約４００ｎｍ〜７００ｎｍ）での平均透過率が｛（２＋２＋２）＊０．０５＋［７００−４００−（２＋２＋２）］＊０．９５｝／（７００−４００）≒９３．２％であるため、自然光全体に対する平均透過率はＴ≒９５％＊５０％＋９３．２％＊５０％＝９４．２５％である。
【００６０】
以上より、特性の画像ソース及び画像ソースのソース特性に整合した反射特性を有するメッキ層を採用するため、本発明の可視光に対する平均透過率と画像ソースの特定光源に対する平均反射率との和をＴ＋Ｒ＞１８９％となるようにして、高通透率と共に高反射率による結像効果が得られる。
【００６１】
図４は、本発明の一実施形態による表示結像方法の例示的なフローチャートである。
【００６２】
同図に示すように、当該方法は、
透明基材と透明基材に付着した透過反射膜とを含む結像窓を提供するステップ４０１と、
ｓ偏光を放射可能な画像ソースを提供するステップ４０２と、
透過反射膜を介して結像窓に出射されるように、画像ソースに法線に対して第１の角度範囲で結像窓へｓ偏光を放射させるステップ４０３と、
透過反射膜によりｓ偏光を反射するステップ４０４と、を含み、
その中で、ｓ偏光は、可視光帯域内でｎ個のスペクトル線又はスペクトルバンドを有し、ｎは、１以上の正の整数であり、好ましくは、ｎは３以上であり、スペクトル線又はスペクトルバンドの半値幅は６０ｎｍ以下であり、第１の角度範囲内において、透過反射膜の、画像ソースの発するｓ偏光のｎ個のスペクトル線又はスペクトルバンドにおける少なくとも１つのスペクトル線又はスペクトルバンドに対する半値幅以内の平均反射率は５０％よりも大きく、透過反射膜の、画像ソースの発するｓ偏光のｎ個のスペクトル線又はスペクトルバンドの半値幅以外の可視光帯域に対する平均反射率は、透過反射膜の、画像ソースの発するｓ偏光のｎ個のスペクトル線又はスペクトルバンドの中で半値幅内の平均反射率が５０％よりも大きい帯域に対する平均反射率よりも少なくとも５％低く、ひいては１０％低く、且つ、法線に対する第２の角度範囲内において、透過反射膜のｐ偏光に対する可視光範囲内の平均透過率が６０％よりも大きく、但し、第１の角度範囲は３０度〜８９度であり、好ましくは５０度〜７５度であり、第２の角度範囲は３０度〜８０度であり、好ましくは５５度〜７０度である。
【００６３】
また、別の実施形態において、ｓ偏光は、可視光帯域内でｎ個のスペクトル線又はスペクトルバンドを有し、ｎは１以上の正の整数であり、好ましくは、ｎは３以上であり、スペクトル線又はスペクトルバンドの半値幅は６０ｎｍ以下であり、第１の角度範囲内において、透過反射膜の、画像ソースの発するｓ偏光の３個以上のスペクトル線又はスペクトルバンドにおける半値幅以内の帯域に対する平均反射率の範囲は２５％〜５０％であり、ｓ偏光のこれら以外の可視光帯域に対する平均反射率は、前者の平均反射率より少なくとも５％低くと共に、透過反射膜の法線に対する第２の角度範囲内でｐ偏光に対する可視光範囲内の平均透過率は６０％よりも大きい。
【００６４】
本発明の提案した表示結像システム及び方法は、様々なアプリケーションを含むことができる。例えば、台座と合わせるか、或いは台座を各種類のヘッドアップディスプレイ（ＨＵＤ）に適用することがある。勿論、車両又は飛行機等の交通ツールに実装してもよい。
【００６５】
本発明によれば、同時に画像ソースからの光線と外部からの環境光線を観察者の目に入射させて、明瞭な映像を形成することができる。これによって、観察者の周囲環境に対する観察に影響を及ばずに、画像ソースの画像を観察者の目に同時に現すことができる。本発明の実施形態では、ｓ偏振の３色光を投影画像ソースとして利用すると共に、ｓ偏振の狭帯域高反膜の結像窓を採用する。画像ソースと透過反射膜と増透膜の光のスペクトルバンドがよく整合されるため、そしてｓ偏振の光がブリュースター角の影響を受けないため、画像ソースの光線の反射率は従来技術に比べて大きく向上され、投影光の利用率大きい。よって、光学システム全体を比較的に低い電量で実現することができる。また、基材の内面の透過反射膜で比較的に高い反射率が得られ、基材の外面にまた増透膜を有するため、ゴーストをよく抑えることができる。さらに、観察者の外部の環境光に対する感知にほとんど影響がない。これは、環境光のｓ偏光のスペクトルに一部のフィルタリングさらる帯域が存在しても、ｐ偏光の環境光から同じ光学情報を得ることができるからである。
以上に開示した実施例の上記説明により、当業者は本発明を実現又は使用することができる。なお、以上の実施例に開示された特徴は、特に説明しない限り、いずれも単独又は組合わせて使用できることは言うまでもない。これらの実施例に対する様々な修正は、当業者にとって自明なことであり、ここで定義された一般的原理は、本発明の思想又は範囲を逸脱しない限り、他の実施例で実現できる。従って、ここで開示した本発明は、以上に開示された具体的実施例に限定されず、特許請求の範囲に限定された本発明の思想及び範囲内の修正も含むことを意味する。
【図１】
2019512754.tif 000003
【図２】
2019512754.tif 000004
【図３】
2019512754.tif 000005
【図４】
2019512754.tif 000006
【国際調査報告】
2019512754.tif 000007
2019512754.tif 000008
2019512754.tif 000009
2019512754.tif 000010